(57)【要約】【課題】目地上面に設置された際の建築物の床と地盤との一体感が得られて、しかも、ズレることのない目地カバーを提供する。【解決手段】建築物の床１とその周囲の地盤２との間に形成された目地３の上面を覆う目地カバー４であって、この目地カバー４はプレキャストコンクリート版５で構成され、このプレキャストコンクリート版５の一端は、ボルト９とバネ１５を備えた連結手段７で建築物の床１の側縁１ａに揺動可能に連結され、プレキャストコンクリート版５の他端は、傾斜面５ａを備えて地盤２上に乗り上げ可能な自由端となっている。【選択図】図２
2010059629.tif 000002
【特許請求の範囲】
【請求項１】
建築物の床とその周囲の地盤との間に形成された目地の上面を覆う目地カバーであって、該目地カバーは、プレキャストコンクリート版で構成され、
該プレキャストコンクリート版の一端は、ボルトとバネを備えた連結手段で前記建築物の床の側縁に揺動可能に連結され、該プレキャストコンクリート版の他端は、傾斜面を備えて前記地盤上へ乗り上げ可能な自由端となっている
ことを特徴とする目地カバー。
【請求項２】
前記連結手段を構成するボルトの下端側は、前記建築物の床の側縁に埋設固定されていることを特徴とする請求項１に記載の目地カバー。
【請求項３】
前記ボルトの上端側はベースプレートを介在させて前記建築物の床の側縁に起立され、該起立されたボルトの上端部は、折れた場合には、別途用意される座金付きボルト上端部の該座金を前記ベースプレートに溶接固定することにより交換できるように構成されていることを特徴とする請求項２に記載の目地カバー。
【発明の詳細な説明】
【技術分野】
【０００１】
本発明は、建築物の床とその周囲の地盤との間に形成された目地の上面を覆う目地カバーに関するものである。
【背景技術】
【０００２】
従来、この種の目地カバー装置として、例えば特許文献１に開示されているような構造のものが存在する。
【特許文献１】特許第３８２８２４２号公報
【発明の開示】
【発明が解決しようとする課題】
【０００３】
上記特許文献１に開示されているような目地カバー装置は、全体が鉄製であり、建築物の床とその周囲の地盤との間に設置した場合に違和感を生ずる場合があり、設置状態の見栄え性が悪くなるという問題点があった。
【課題を解決するための手段】
【０００４】
本発明は、建築物の床とその周囲の地盤と違和感なく一体感をなして設置できる目地カバーの提供を目的とし、この目的の少なくとも一部を達成するために以下の手段を採った。
本発明の目地カバーは、建築物の床とその周囲の地盤との間に形成された目地の上面を覆う目地カバーであって、該目地カバーは、プレキャストコンクリート版で構成され、該プレキャストコンクリート版の一端は、ボルトとバネを備えた連結手段で前記建築物の床の側縁に揺動可能に連結され、該プレキャストコンクリート版の他端は、傾斜面を備えて前記地盤上へ乗り上げ可能な自由端となっていることを要旨とする。
【発明の効果】
【０００５】
本発明の目地カバーは、プレキャストコンクリート版で構成されているため、建築物の床とその周囲の地盤との間に形成された目地の上面を覆うように設置した状態では、建築物の床と地盤とプレキャストコンクリート版が一体感をなし、意匠性に優れた設置状態が得られるものとなる。
【０００６】
また、本発明の目地カバーにおいて、前記連結手段を構成するボルトの下端側は、前記建築物の床の側縁に埋設固定されている構成とすることもできる。
こうすれば、プレキャストコンクリート版の建築物の床側は、ボルトとバネを備えた連結手段で建築物の床の側縁に連結され、ボルトは建築物の床の側縁に埋設固定されているため、強度が大となり、プレキャストコンクリート版上に大型トラックが乗り、車輪が回動されたような場合でも、プレキャストコンクリート版のズレがなく、強固に支持できるものとなる。
【０００７】
また、本発明の目地カバーにおいて、前記ボルトの上端側はベースプレートを介在させて前記建築物の床の側縁に起立され、該起立されたボルトの上端部は、折れた場合には、別途用意される座金付きボルト上端部の該座金を前記ベースプレートに溶接固定することにより交換できるように構成することもできる。
こうすれば、大型トラック等の車輪の回動に伴う水平方向の剪断力の作用により、ボルトが折れたような場合にも、現場に座金付きボルト上端部を持ち込み、座金付きボルト上端部の座金をベースプレートに溶接固定することにより、ボルトの上端部を容易に交換することができるものとなる。
【発明を実施するための最良の形態】
【０００８】
次に、本発明を実施するための最良の形態を実施例を用いて説明する。
図１は、目地カバーの設置状態の概略構成図であり、建築物の床１と、その周囲の地盤２との間には、幅６４０ｍｍの目地３が凹み状に形成されており、この目地３の上面は目地カバー４で覆われている。なお、図中３ａは、目地３の底側に排水用の溝を形成させるための内側壁である。
【０００９】
建築物は図示しないが、緩衝機能を備えた免震装置によって下部が支持されており、地震時においては、建築物の床１と周囲の地盤との間に水平方向の揺れが生じるが、この揺れを目地３で吸収できるように構成されている。
この目地３の上面を覆う目地カバー４は、本例では工場内で型枠を用いて形成したプレキャストコンクリート版５で構成されている。
プレキャストコンクリート版５の地盤２側の上面先端には、地盤２側へ延出して鉄をメッキした先端平板６が設けられている。また、プレキャストコンクリート版５の先端平板６と反対側の建築物の床１側は、連結手段７を介して揺動可能なものとなっている。
【００１０】
建築物の床１の側縁には、断面Ｌ字状の側縁段部１ａが形成されており、図２の拡大詳細図に示すように、この側縁段部１ａには断面略Ｌ字状の受け枠１０が設けられており、この受け枠１０に対し揺動可能に連結手段７を介してプレキャストコンクリート版５の一端側が連結されている。
また、プレキャストコンクリート版５の他端、即ち地盤２側には、先端平板６側へ上傾した傾斜面５ａが形成されており、この傾斜面５ａと対向状に、ほぼ同一傾斜に形成されたガイド傾斜面２ｂが地盤２側に形成されている。
【００１１】
地震時に水平方向の揺れにより目地３の幅長が狭まった時には、図１および図３に示すように、連結手段７を介してプレキャストコンクリート版５の建築物の床１側が揺動し、プレキャストコンクリート版５の傾斜面５ａが地盤２に形成されているガイド傾斜面２ｂに沿って上方へ持ち上げられ、プレキャストコンクリート版５の地盤２側が地盤２上に乗り上げるものである。
また、目地３が元の幅長に復帰した時には、図２のように、建築物の床１と地盤２とプレキャストコンクリート版５がほぼ面一状となり、プレキャストコンクリート版５の傾斜面５ａと地盤２側のガイド傾斜面２ｂ間に適当な隙間が形成され、この隙間の上面が前記先端平板６により良好に覆蓋される。
【００１２】
なお、目地カバー４を構成するプレキャストコンクリート版５は、図４の平面図で示すように、その長手方向寸法ａが３３２３ｍｍであり、建築物の床１側から先端平板６までの幅長ｂが１３０５ｍｍであり、先端平板６の幅長ｃが３５０ｍｍに設定されており、プレキャストコンクリート版５の厚みｔは１８０ｍｍに設定されている。
【００１３】
プレキャストコンクリート版５の建築物の床１側には、図４に示すように、例えば４８５ｍｍの間隔をおいて複数のボックス８，８，８が埋設状に設けられており、各ボックス８の上面は開閉な蓋となっている。この各ボックス８は鉄製であり、その内部に六角ボルト９が立設されている。
六角ボルト９の下端は、側縁段部１ａに設けられたＬ字状の受け枠１０を貫通して、その下端が建築物の床１側に埋設固定されており、六角ボルト９の上端側がボックス８内に起立されている。
【００１４】
なお、Ｌ字状の受け枠１０はズレないように、建築物の床１内に埋設されたアンカー１７，１７に溶接固定されて設置されている。
なお、受け枠１０の底側に溶接ナット１１を溶接で固定しておき、この溶接ナット１１内に下方側から六角ボルト９を螺合させて、溶接ナット１１の下面に緩み止めナット１２を締め付けて、受け枠１０から所定長さで垂下された状態で六角ボルト９の下端が埋設固定されている。
【００１５】
六角ボルト９は、受け枠１０上に設けられたベースプレート１３およびゴムパッキン１４を貫通して上端側が立設されており、上端側外周にはコイル状のバネ１５が配置されて、このバネ１５の上端は、六角ボルト９の上端側からナット１６を締め付けて押圧されている。従って、このバネ１５により地震時に図３のような状態に揺動が可能である。この六角ボルト９，バネ１５，ナット１６，ボックス８で連結手段７が構成されている。
【００１６】
なお、プレキャストコンクリート版５は、その上面に２０トン程度の大型トラックが乗っても耐えられるように強度が確保されており、図２および図４に示すように、各ボックス８の左右両側から地盤２側に向かって、例えば直径１３ｍｍで長さが４００ｍｍ程度のアンカー１８，１８がそれぞれ複数本内部に配設されて埋設されている。また、地盤２側にも傾斜状に直径１３ｍｍ程度のアンカー１９，１９が埋設されており、このアンカー１９に前記先端平板６の下面が溶接で固定されて保持されている。
【００１７】
また、プレキャストコンクリート版５の上面には、合計４個の吊り下げ用インサートナット２０，２０，２０，２０が、上面側がキャップによりシールされて上向きに埋設されており、この４個の吊り下げ用インサートナット２０，２０，２０，２０は、目地カバー４を現場の目地３上に設置する際に吊り下げるために埋設されたものである。
また、プレキャストコンクリート版５の地盤２側の底側には、幅方向に延びる複数の溝が形成され、この各溝にゴムパッキン２１，２１，２１が設けられている。即ち、地盤２側に形成された載置段部２ａ上に当接するプレキャストコンクリート版５の底面部分に複数のゴムパッキン２１，２１，２１が設けられて、音を消す作用を成す。
また、先端平板６が当接する地盤２の上面側にも、消音用のゴムパッキン２２が配設されている。
【００１８】
本例の目地カバー４においては、先端の先端平板６の部分を除き、その上面はプレキャストコンクリート版５のコンクリート面が露出するため、同様なコンクリート面である建築物の床１と地盤２とがほぼ連続した同一素材に視認されて、目地カバー４の設置状態の意匠性が向上するものとなる。
しかも、目地カバー４は、アンカー１８，１９で補強されて、厚みが１８０ｍｍ程度のプレキャストコンクリート版５であり、強度が大で、２０トン程度の荷重に耐えることができるものであり、大型トラックが上面に乗っても変形等することがない。
【００１９】
なお、目地カバー４上に大型トラックが乗り、目地カバー４上でハンドルが切られてタイヤが回動したような場合には、トラックからの捩れ力により水平方向の剪断力が六角ボルト９に掛かり、六角ボルト９の上端側が剪断力を受けて剪断されることがあるが、そのような場合には、図５に拡大して示すように、六角ボルト９の下端側９ａとベースプレート１３はそのまま建築物の床１に残るため、別途工場でボルト上端部９ｂの下端に直交状に座金２４を溶接固定した部材を用意して、この座金２４付きボルト上端部９ｂを現場に持ち込み、ベースプレート１３の上面に現場で座金２４を溶接Ｐし、ベースプレート１３上に座金２４を介しボルト上端部９ｂを固設することができ、この固設状態では、建築物の床の側縁段部１ａ上にボルト上端部９ｂが起立し、剪断されたボルト上端部９ｂに代えて、新たなものに交換することができ、このボルト上端部９ｂの外周にバネ１５を配設して、上面側からナット１６を締め付けて、連結手段７を新たなものにすることができ、ボルト上端部９ｂが剪断力で折れた場合にも、現場で迅速に新たなものと取り換えて良好な設置状態に維持できるものである。
【００２０】
なお、六角ボルト９は、例えばＭ２０のものを用いるが、交換用の座金２４付きボルト上端部９ｂはＭ２４のものとすることができる。
なお、目地カバー４を構成するプレキャストコンクリート版５の厚みｔ等の寸法は一例であって、２０トン程度の荷重に耐えることができるものであれば、その寸法は変更が可能であり、また、内部に埋設されるアンカー１８，１９の本数等も適宜変更が可能である。
【００２１】
このように本例の目地カバー４は、プレキャストコンクリート版５として工場内で生産し、現場に持ち込んで、現場の目地３上に複数列設させて、目地３の上面を良好に覆うことができ、建築物の床１と地盤２側との間にコンクリート面が連なった良好な意匠性を呈して設置することができ、しかも、プレキャストコンクリート版５は重量がありズレることが少なく、この上面にトラック等が乗った場合でも、変形することなく音の発生も極めて少ないものとなる。しかも、大型トラック等からの捩れ力を受けて連結手段７の六角ボルト９の上端が折れた場合でも、座金２４付きボルト上端部９ｂを現場に持ち込んで、溶接により取り換えることができ、ボルト破損時の取り換えも容易なものとなる。
【図面の簡単な説明】
【００２２】
【図１】建築物の床と地盤間の目地上面に覆設される目地カバーの作用説明図である。
【図２】目地カバーの設置状態の拡大縦断面構成図である。
【図３】地震時に目地カバーが地盤上に乗り上げた状態の作用説明図である。
【図４】プレキャストコンクリート版製の目地カバーの列設状態の平面構成図である。
【図５】目地カバーの連結手段を構成する六角ボルトの上端部を取り換えた状態の拡大構成図である。
【符号の説明】
【００２３】
１  建築物の床
１ａ  側縁段部
２  地盤
２ａ  載置段部
２ｂ  ガイド傾斜面
３  目地
４  目地カバー
５  プレキャストコンクリート版
５ａ  傾斜面
６  先端平板
７  連結手段
８  ボックス
９  六角ボルト
９ａ  下端側
９ｂ  ボルト上端部
１０  受け枠
１１  溶接ナット
１２  緩み止めナット
１３  ベースプレート
１４，２１，２２  ゴムパッキン
１５  バネ
１６  ナット
１７，１８，１９  アンカー
２４  座金
Ｐ  現場溶接部
【図１】
2010059629.tif 000003
【図２】
2010059629.tif 000004
【図３】
2010059629.tif 000005
【図４】
2010059629.tif 000006
【図５】
2010059629.tif 000007